(57)【要約】【課題】印影を容易に変更して、通常のハンコ、スタンプのように手軽に使用できるスタンプ装置を提供する。【解決手段】手持ちにより操作可能な筐体２１を有するスタンプ装置１であって、スタンプ押印面Ａに取り付けられると共に、印刷対象物に対し一定の距離を保つように筐体２２内に支持され、複数個の液体吐出ノズル２７ａを縦横に配置して筐体２２内に固定された印刷ヘッド２７と、スタンプデータとなるデータを入力するデータ入力部３７と、データ入力部２７から入力されたデータをスタンプデータとして登録するスタンプデータ登録部３１と、印刷の開始を指示する印刷スイッチ部２５と、を備え、印刷スイッチ部２５の操作によって、印刷ヘッド２７から印刷対象物に対してインクを吐出し、スタンプデータ登録部３１に登録されたスタンプデータの印影を押印する。【選択図】図１
2009233971.tif 000002
【特許請求の範囲】
【請求項１】
手持ちにより操作可能な筐体を有するスタンプ装置であって、
スタンプ押印面に取り付けられると共に、印刷対象物に対し一定の距離を保つように前記筐体内に支持され、複数個の液体吐出ノズルを縦横に配置して前記筐体内に固定された印刷ヘッドと、
スタンプデータとなるデータを入力するデータ入力部と、
前記データ入力部から入力されたデータをスタンプデータとして登録するスタンプデータ登録部と、
印刷の開始を指示する印刷スイッチ部と、
を備え、
前記印刷スイッチ部の操作によって、前記印刷ヘッドから前記印刷対象物に対して液体を吐出し、前記スタンプデータ登録部に登録されたスタンプデータの印影を押印することを特徴とするスタンプ装置。
【請求項２】
前記データ入力部は、入力したデータをドットイメージに変換して、当該ドットイメージをスタンプデータとして、前記スタンプデータ登録部へ送信することを特徴とする請求項１に記載のスタンプ装置。
【請求項３】
前記ドットイメージへの変換は、縦横に配置された前記複数の液体吐出ノズルの数の範囲内のドット数のイメージデータに収まるように縮小又は拡大されることを特徴とする請求項２に記載のスタンプ装置。
【請求項４】
前記スタンプデータ登録部は、複数のスタンプデータの登録が可能であることを特徴とする請求項１または２に記載のスタンプ装置。
【請求項５】
前記スタンプデータ登録部に登録されたスタンプデータの印影を表示する表示部を有することを特徴とする請求項１〜４のいずれか１項に記載のスタンプ装置。
【請求項６】
複数のスタンプデータのひとつを選択するスタンプデータ選択部を有することを特徴とする請求項１〜５のいずれか１項に記載のスタンプ装置。
【請求項７】
前記印刷スイッチ部は押印操作に連動して印刷を開始させるスイッチであることを特徴とする請求項１〜６にいずれか１項に記載のスタンプ装置。
【請求項８】
前記スタンプデータ登録部は、前記スタンプデータを記憶する不揮発性メモリを備えることを特徴とする請求項１〜７にいずれか１項に記載のスタンプ装置。
【請求項９】
インク系の異常、バッテリ残量の低下、スタンプデータ登録部の異常のうちの少なくとも一つを検出する異常検出部が設けられていることを特徴とする請求項１〜８のいずれか１項に記載のスタンプ装置。
【請求項１０】
前記スタンプデータ登録部は、スタンプデータとともに日付データを更新可能に登録することを特徴とする請求項１〜９のいずれか１項に記載のスタンプ装置。
【請求項１１】
前記スタンプデータ登録部は、キーコードや氏名コードの入力によってスタンプデータの読み出しを許可することを特徴とする請求項１〜１０のいずれか１項に記載のスタンプ装置。
【請求項１２】
前記スタンプデータ登録部は、パスワードの入力によってスタンプデータの読み出しを許可することを特徴とする請求項１〜１１のいずれか１項に記載のスタンプ装置。
【発明の詳細な説明】
【技術分野】
【０００１】
本発明は、印影を容易に変更して押印可能なスタンプ装置に関する。
【背景技術】
【０００２】
企業や商店等では書類の発行印、受領印、上司確認印、個人名印などの複数のスタンプが用途に応じて用意される。これらのスタンプは小形で軽便（ハンディ）であり、スタンプ収納箱内の複数の中から用途に合わせて必要とするものを選び、書類上に押印している。これらのスタンプは、押印のための朱肉や黒色や赤色などのスタンプパッドを用いて、スタンプ押印面の文字等を書類に転写する。
【０００３】
企業内における組織変更などで職場名が変更になった場合は、その職場名の変更のたびに新しい職場名のスタンプを作り直す必要があり、同時に不要になったスタンプを廃棄している。
【０００４】
また、所望のスタンプ画像データを作成して、一般的なプリンタ等を用いて用紙に印刷する技術としては、例えば、特許文献１に開示された技術がある。
上記特許文献１には、「入力画像データにスタンプ画像データを画像合成して、画像形成部で用紙に記録出力するに際して、画像データの解像度の変換を含む各種画像処理を画像データに施す画像処理部と、入力画像データに合成するスタンプ画像データを格納するスタンプ画像データ記憶部と、を設け、当該スタンプ画像データ記憶部に登録する元スタンプ画像データを画像処理部で必要な画像処理を施して登録スタンプ画像データを生成し、当該登録スタンプ画像データをスタンプ画像データ記憶部に登録し、入力画像データに当該スタンプ画像データ記憶部の当該登録スタンプ画像データを合成して記録出力する。」ことが開示されている。
【特許文献１】特開２００５−２１２１２０号公報
【発明の開示】
【発明が解決しようとする課題】
【０００５】
しかしながら、従来は、印影は固定されているので、その目的・用途に応じて他種類のハンコやスタンプやスタンプパッドを用意しなければならない。例えば、多種類の発行印、受領印、上司確認印、個人名印などの複数種類のスタンプを職場ごとに置き場を決めて管理することが必要である。また、日付を入れることができるスタンプでは、日付合わせの作業が面倒であり作業効率が悪化する。多数のハンコやスタンプやスタンプパッドが存在するので、印影の確認を怠り、間違ったハンコやスタンプを押してしまう虞もある。
【０００６】
また、社内の職制変更等により、多数のハンコやスタンプの印影を変更する場合には、多数のハンコやスタンプの発注・作成が必要となり、費用や時間がかかる。古いハンコやスタンプを廃棄するため、資源が無駄になる。ある程度の変更を見越して、変更が多い部分を空欄としたハンコやスタンプがあるが、空欄部分は、手書きが必要である。
【０００７】
一方、従来の所望のスタンプ画像データを作成して、一般的なプリンタ等を用いて用紙に印刷する方法では、プリンタ装置、プリンタ装置を制御するホストコンピュータ（パーソナルコンピュータ等）を用いるためにシステム構成が大掛かりで高価になり、スタンプ押印の手軽さが無い。また、押印箇所が固定であるため、簡単に変更できない。厚みがある印刷対象物は給紙機構を通過できないため、印刷が不可能である。
【０００８】
本発明はかかる事情に鑑みてなされたものであり、印影を容易に変更して、通常のハンコ、スタンプのように手軽に使用できるスタンプ装置を提供することを目的とする。
【課題を解決するための手段】
【０００９】
上記目的を達成するために、本発明に係るスタンプ装置は、手持ちにより操作可能な筐体を有するスタンプ装置であって、
スタンプ押印面に取り付けられると共に、印刷対象物に対し一定の距離を保つように前記筐体内に支持され、複数個の液体吐出ノズルを縦横に配置して前記筐体内に固定された印刷ヘッドと、
スタンプデータとなるデータを入力するデータ入力部と、
前記データ入力部から入力されたデータをスタンプデータとして登録するスタンプデータ登録部と、
印刷の開始を指示する印刷スイッチ部と、
を備え、
前記印刷スイッチ部の操作によって、前記印刷ヘッドから前記印刷対象物に対して液体を吐出し、前記スタンプデータ登録部に登録されたスタンプデータの印影を押印することを特徴とする。
上記構成により、ユーザは筐体を指で摘みまたは手で掴んだ状態で、印刷開始用の印刷スイッチ部や各種キーの操作が可能であり、スタンプ押印面を下面に持つ通常の印鑑やスタンプと同等の使用感が得られる。また、スタンプ装置を印刷対象物上に載せて印刷スイッチ部を操作することで、多数の液体吐出ノズルから吐出されるインク等の液体によって、印刷対象物に所望のスタンプデータの印影を印刷（押印）することができる。
しかも、印刷ヘッドが印刷対象物に対し、印刷に適する一定距離に保たれるため、液体吐出ノズルから吐出されるのインク等の液体の吐出距離が最適に保たれて、印刷対象物上にクリアな印影を印刷（押印）できる。
【００１０】
また、好ましくは、前記データ入力部は、入力したデータをドットイメージに変換して、当該ドットイメージをスタンプデータとして、前記スタンプデータ登録部へ送信することを特徴とする。
これにより、データ入力部から入力された画像データあるいは文字データを、ドットイメージに展開してこのドットイメージデータをスタンプデータとしてスタンプデータ登録部へ送信することができる。
【００１１】
さらに、好ましくは、前記ドットイメージへの変換は、縦横に配置された前記複数の液体吐出ノズルの数の範囲内のドット数のイメージデータに収まるように縮小又は拡大されることを特徴とする。
これにより、スタンプデータが液体吐出ノズルの数の範囲内のドット数のイメージデータに収まるように縮小又は拡大されるので、印刷対象物に印刷される印影をスタンプ押印面をできるだけ広く使った適度な大きさの印影とすることができる。
また、好ましくは、前記スタンプデータ登録部は、複数のスタンプデータの登録が可能であることを特徴とする。
【００１２】
また、好ましくは、前記スタンプデータ登録部に登録されたスタンプデータの印影を表示する表示部を有することを特徴とする。
これにより、表示部に表示された印影を確認した上で、印刷（押印）することができる。
また、好ましくは、複数のスタンプデータのひとつを選択するスタンプデータ選択部を有することを特徴とする。
【００１３】
また、好ましくは、前記印刷スイッチ部は押印操作に連動して印刷を開始させるスイッチであることを特徴とする。
これにより、印刷スイッチ部を手動操作しなくても印刷対象物に本スタンプ装置を押し当てて、押印することで自動的に印刷（押印）することができる。
【００１４】
また、好ましくは、前記スタンプデータ登録部は、前記スタンプデータを記憶する不揮発性メモリを備えることを特徴とする。
これにより、スタンプ装置の電源が切られた場合にも、スタンプデータ登録部に格納されたスタンプデータが不用意に消去されることを回避できる。
【００１５】
また、好ましくは、インク系の異常、バッテリ残量の低下、スタンプデータ登録部の異常のうちの少なくとも一つを検出する異常検出部が設けられていることを特徴とする。
これにより、印刷の実行不可能または印刷ミスが発生するのを回避できる。
【００１６】
また、好ましくは、スタンプデータ登録部が、スタンプデータとともに日付更新可能な日付データを登録することを特徴とする。
これにより、スタンプデータの画像等を押印した年月日を容易に確認することができる。
【００１７】
また、好ましくは、スタンプデータ登録部が、キーコードや氏名コードの入力時にスタンプデータの読み出しを許可することを特徴とする。
これにより、キーコードが合致した特定の個人名のみを印刷（押印）可能とすることができる。
【００１８】
また、好ましくは、スタンプデータ登録部が、パスワードの入力時にスタンプデータの読み出しを許可することを特徴とする。
これにより、機密を要する特定のスタンプデータを、パスワード入力時のみに読み出して印刷させることができる。
【発明を実施するための最良の形態】
【００１９】
以下に、本発明に係るスタンプ装置の好適な実施の形態を、図面を参照して詳細に説明する。
図１は、本発明の実施の形態に係るスタンプ装置を概念的に示す斜視図である。図２は、図１に示すスタンプ装置の要部を一部破断して示す説明図（ａ）、及び印刷ヘッド２７のスタンプ押印面を示す説明図（ｂ）である。図３は、スタンプ装置の内部構成を示すブロック図である。図４は、本発明の実施の形態に係るスタンプ装置の印刷スイッチ部の変形例を示す説明図である。
【００２０】
図１に示すように、本実施の形態に係るスタンプ装置１は、インク等の液体を吐出する液体吐出ノズルを印刷ヘッドに配置したプリンタと略同様の機能を備え、全体として円筒形の筐体２１と台形の筐体２２とを一体に連接したものからなる。円筒形の筐体２１は人が指で摘んだり手で掴んだり（手持ち）することができる程度に、十分に小形のサイズに作られている。
【００２１】
筐体２１、２２は金属板や合成樹脂の成形品からなり、内部には、後述の印刷ヘッドを含む印刷部の機構部や制御部などの電子装置が収納されている。筐体２１は、上面にスタンプデータの入力および選択やキーコード入力等のための各種入力キー２３や、印影の確認などに用いられる表示部２４等を備えている。
【００２２】
筐体２１の外周には、印刷の開始を指示する印刷スイッチ部２５のほか、メモリカードの挿入孔２６が設けられている。印刷スイッチ部２５は押下スイッチが用いられる。
【００２３】
メモリカードの挿入孔２６から挿入できるメモリカードとしては、例えば、ＳＤカード、マイクロＳＤカード等が挙げられ、挿入孔２６のサイズ・形状は、これらのメモリカードに適合する形状、サイズに形成されている。また、挿入孔２６の内側に、メモリカードに対応した電極及びこの電極を通して読み出した電気信号を変換するインタフェース等を備える（図示せず）。
【００２４】
一方、台形の筐体２２内には、印刷部を構成する図２（ａ）に示すような固定式の印刷ヘッド２７が設けられている。この印刷ヘッド２７には、図２（ｂ）に示すように、スタンプ押印面Ａの略全面に亘って多数の液体吐出ノズル２７ａが縦横に規則的に平面配置されている。
【００２５】
そして、印刷ヘッド２７のスタンプ押印面Ａは、筐体２２の下端Ｂに対し僅かに上方に臨んでいる。つまり、各液体吐出ノズル２７ａと筐体２２の下端Ｂとの間が、液体吐出印刷に適する一定の吐出距離Ｇに保たれている。また、この吐出距離Ｇは、印刷対象物に対する画像等の印刷品質を良好に維持するとともに、スタンプ装置本体を使用後に収納ケースに戻した際、スタンプ押印面Ａが収納ケースの底面に接触するのを回避することができる。
【００２６】
次に、本実施の形態に係るスタンプ装置の内部構成について説明する。図３はこのスタンプ装置の内部構成を示すブロック図である。このスタンプ装置は、スタンプデータ登録部３１と、表示部２４と、スタンプデータ選択部３３と、印刷部３４と、印刷スイッチ部２５と、キーコード入力部３５と、電源用のバッテリ３６と、データ入力部３７と、制御部３８と、を備える。
【００２７】
スタンプデータ登録部３１は、データ入力部３７から入力された画像データを、ドットイメージに展開し、この展開されたドットイメージデータをスタンプデータとして登録する。このスタンプデータは、スタンプデータ登録部３１内の不揮発性メモリ（例えば、フラッシュメモリ、ＥＥＰＲＯＭなど）に記憶・登録される。
従って、スタンプ装置の電源（バッテリ）が切られても、スタンプデータ登録部３１内の不揮発性メモリに格納されたスタンプデータは消失しない。
なお、バッテリ３６などの電源が切れた場合に、スタンプデータが消失してもかまわなければ、揮発性のメモリ（例えば、ＤＲＡＭ、ＳＲＡＭなど）を使用してもよい。
【００２８】
このスタンプデータはドットイメージに展開されたデータであり、印刷ヘッド２７のスタンプ押印面Ａに配置された液体吐出ノズル２７ａの数以内のドットイメージであれば、例えば、図２に示した液体吐出ノズル２７ａが縦１０００×横１０００であれば、この１０００×１０００ドットの範囲内のドットイメージのスタンプデータを登録することができ、これを印影として、スタンプ（押印）することができる。
【００２９】
このようにして登録されたスタンプデータの具体例としては、例えば、会社や役所内などで使用する発行印、受領印、上司確認印、職場名、個人名印等（後述の図１０参照）、あるいは、学校や幼稚園で使用する画像データ（絵）と文字の組み合わせで構成された「よくできました」、「がんばりましょう」のスタンプ（図示せず）などである。
【００３０】
表示部２４は、入力キー２３のいずれかの操作によって、スタンプデータ登録部３１に登録されたスタンプデータの印影を表示する。これにより、スタンプデータの印影を確認することができる。この表示部２４は、例えば液晶パネル、有機ＥＬパネル、電子ペーパーなどで構成される。
【００３１】
スタンプデータ選択部３３は、表示部に表示して確認したスタンプデータをキー入力により特定してスタンプデータを選択するものである。
【００３２】
印刷部３４は、スタンプデータ選択部で選択されたスタンプデータの印影を印刷対象物に印刷（押印）するものである。この印刷部３４は、インク等を吐出する液体吐出ノズル２７ａをスタンプ押印面の略全面に多数配置した印刷ヘッド２７（図２（ｂ）参照）を含む。スタンプデータのドットイメージに応じた各液体吐出ノズル２７ａからインク等を吐出することにより、印刷対象物上にスタンプデータの印影を印刷（押印）することができる。
【００３３】
また、印刷ヘッド２７のスタンプ押印面Ａ（液体吐出ノズル２７ａ）は、筐体２２の下端Ｂの僅か上方に距離Ｇをおいて位置している（図２（ａ）参照）。従って、印刷（押印）時に筐体２２を印刷対象物に接触させたとき、液体吐出ノズル２７ａはその印刷対象物に対し接触しない所定位置に保持される。
【００３４】
これにより、液体吐出ノズル２７ａから吐出されるインクが印刷対象物に対し適切に付着することとなる。換言すれば、印刷対象物上においてインクの付着量が過大になって滴下したり垂れ下がったり、あるいは深く浸透して滲んだりすることを回避できる。
【００３５】
即ち、本実施の形態に係るスタンプ装置は、筐体２２の下端Ｂに対し液体吐出ノズル２７ａを僅か上方に保持させることによって、インクの印刷対象物に対する付着量を適切かつ安定化し、結果としてクリアな印影を印刷（押印）することができる。
【００３６】
印刷スイッチ部２５は、その押下操作によって、印刷部３４よる印刷動作が開始される。
即ち、液体吐出ノズル２７ａから適量のインクが吐出し、印刷が行われる。
【００３７】
なお、印刷スイッチ部２５は押下スイッチに限定するものではなく、押印操作に連動して印刷を開始させるスイッチとして、押印操作を検知する図４に示すような圧力センサスイッチ２８を使用してもよい。
【００３８】
以下、図４を参照して、本発明の実施の形態に係るスタンプ装置の印刷スイッチ部の変形例を説明する。
図４の変形例においては、筐体２２の下端縁の一箇所または複数箇所に歪ゲージ型の圧力センサスイッチ２８が取り付けられている。
従って、例えば机上に置かれ印刷対象物の上にスタンプ装置１を載せ、このスタンプ装置１を指または手で矢印Ｚ方向に押印操作すると、この押印荷重を受けて圧力センサスイッチ２８はスイッチオンする。このスイッチオンによって印刷動作が開始され、印刷ヘッド２７の液体吐出ノズル２７ａから適量のインクが吐出され、印刷対象物上にはスタンプデータに対応する印影が形成される。
なお、前記圧力センサスイッチとしては、前記歪ゲージ型のほか半導体ストレインゲージ、光スイッチ、ダイアフラムスイッチなど、周知のものの中から任意に選択して使用することができる。
【００３９】
キーコード入力部３５は所定のキーコードを入力キー２３から入力する部分であり、例えば個人に割り当てられたＩＤ番号を入力することにより、対応の氏名等をスタンプデータ登録部３１のデータテーブルを参照して読み出し、印刷対象物に印刷可能とする。
【００４０】
データ入力部３７は、スタンプデータを入力する部分であり、例えば、メモリカードの挿入孔２６から挿入されたメモリカードに記憶された所定の画像フォーマット（例えば、ＢＭＰ、ＪＰＧ、ＧＩＦ、ＴＩＦＦ等）のデータを読み出し、このデータをドットイメージデータに変換して、スタンプデータ登録部３１へデータを送信する。
【００４１】
上記変換の際には、液体吐出ノズル２７ａの数の範囲内のドット数のイメージデータに収まるように縮小（拡大）される。液体吐出ノズル２７ａの数が縦１０００×横１０００であれば、この１０００×１０００ドットの範囲内のドットイメージとなるように画像データが変換される。さらに、本スタンプ装置内に文字フォントデータを持たせて、メモリカードに記憶された文字データ（文字、数字、記号等）をドットイメージに変換するようにしてもよい。
なお、メモリカードに入っているデータが本実施の形態のスタンプ装置１に最適なドットイメージのスタンプデータであれば、上記ドットイメージへの変換処理は省略できる。
【００４２】
制御部３８は、前記各部の動作を制御する。バッテリ３６は、各部に対し所定レベルの電源電力を供給する。なお、このバッテリ３６に代えて外部電源を使用することは任意である。
【００４３】
また、前記制御部３８は、インク系の異常やバッテリ残量の低下あるいはメモリの異常（エラー）を検出するように機能し、このエラー検出結果を表示部２４や図示しない発光ダイオード等のエラー表示部に表示させる。これらのエラー検出に、専用のエラー検出部およびエラー表示部を別途用意してもよい。
【００４４】
次に、このスタンプ装置の動作を、図５〜図１０を参照しながら説明する。
まず、スタンプ装置の登録処理手順について、図５、図６を参照して説明する。
図５は、スタンプデータの入力手順の一例を示すフローチャートである。図６は、本実施の形態に係るスタンプ装置の登録処理手順を示すフローチャートである。
【００４５】
登録処理に先だって、スタンプデータの入力手順の一例を挙げて図５を参照して説明する。
まず、メモリカードの挿入孔２６からメモリカードを挿入する。データ入力部３７は、このメモリカードの挿入を検知（ステップＳ１０１）し、メモリカードからスタンプデータとなる画像データ（あるいは文字データ）を読み込む（ステップＳ１０２）。データ入力部３７は、読み込んだ画像データ（あるいは文字データ）をドットイメージに変換する（ステップＳ１０３）。
【００４６】
変換されたドットイメージはスタンプデータとして、スタンプデータ登録部３１へ送信される（ステップＳ１０４）。
【００４７】
以上のステップＳ１０１〜Ｓ１０４のようにして、送信されたスタンプデータは、以下のように登録処理される。
まず、図６に示すように、スタンプデータが、スタンプデータ登録部３１に既に登録されているか否かを調べる（ステップＳ１）。
【００４８】
スタンプデータがあった場合（ステップＳ１：ＹＥＳ）には、さらにスタンプデータの変更が必要か否かを調べる（ステップＳ２）。
【００４９】
一方、スタンプデータがない場合（ステップＳ１：ＮＯ）には、入力したスタンプデータを保存する（ステップＳ４）。
【００５０】
スタンプデータの変更が必要な場合には、さらに入力したスタンプデータを登録済みのスタンプデータに上書きが可能か否かを判別する（ステップＳ３）。判別内容の詳細は、既存のスタンプデータと入力したスタンプデータのサイズや、スタンプデータ登録部として使用するメモリの電気的特性により異なる。
【００５１】
データ変更の必要がない場合（ステップＳ２：ＮＯ）には、処理を終了する。
【００５２】
また、ステップＳ３による判別の結果上書きが可能な場合には、入力したスタンプデータをスタンプデータ登録部に保存する（ステップＳ４）。
【００５３】
一方、上書きが不可能な場合には、登録済みのスタンプデータを一旦削除した後で（ステップＳ５）、入力したスタンプデータを保存する（ステップＳ４）。
【００５４】
続いて、スタンプデータ登録部３１の不揮発性メモリに異常があるか否かを調べる（ステップＳ６）。異常がなければ、ユーザが登録しようとするスタンプデータが正しいか否かを確認する（ステップＳ７）。正しいスタンプデータである場合には処理を終了する。
正しいスタンプデータか否かの判定は表示部２４に保存するスタンプデータを表示し、ユーザがこれを確認する。
【００５５】
そして、この正しいスタンプデータをスタンプデータ登録部３１に登録し、これを以後のスタンプデータとして印刷に利用可能にする。また、正しいスタンプデータでない場合には、ステップＳ３以下の処理を繰り返し実行する。この処理はスタンプデータごとに実行される。
【００５６】
また、ステップＳ６において、スタンプデータ登録部３１に異常があると判定された場合には、そのスタンプデータ登録部３１が異常であることを、表示部２４にてエラーを表示して（ステップＳ８）、処理を終了する。
【００５７】
次に、スタンプ装置１による印刷処理手順を、図７を参照して説明する。図７は、本発明の実施の形態に係るスタンプ装置の印刷手順の一例を示すフローチャートである。
【００５８】
先ず、スタンプデータ登録部３１にスタンプデータが登録されているか否かを調べる（ステップＳ１１）。スタンプデータの登録がある場合には、スタンプデータ登録部３１からスタンプデータを読み出して、表示部２４に表示する。また、入力キー２３によるユーザ指示に基づきスタンプ選択部３３が特定のスタンプデータを選択する（ステップＳ１２）。
【００５９】
また、ステップＳ１１においてスタンプデータ登録部３１にスタンプデータがない場合には、登録データなしとの判定に基づき、表示部２４にエラーを表示して（ステップＳ１３）、処理を終了する。
【００６０】
一方、スタンプデータを選択した後、印刷開始の待機状態となり、印刷スイッチ部２５に対する押下操作の検出確認をする（ステップＳ１４）。このとき、ユーザは印刷対象物例えば書類の押印部分にスタンプ装置を置き、印刷開始用の印刷スイッチ部２５を押下操作する。
【００６１】
この押下操作により印刷スイッチ部２５をオンにすることによって、印刷部３４がその選択されたスタンプデータの印影を印刷するべく印刷ヘッド２７の各液体吐出ノズル２７ａを駆動し、印刷を開始する（ステップＳ１５）。
【００６２】
印刷ヘッド２７は、前述の図２（ｂ）に示すように、下端面Ａに複数の液体吐出ノズル２７ａを格子状に並べたような形態をなす。従って、これらの液体吐出ノズル２７ａのうちスタンプデータの印影に対応する位置にある液体吐出ノズル２７ａに対してインクが供給される。
これにより印刷対象物上に各液体吐出ノズル２７ａから吐出されるインクによって印影が形成されることとなる。
【００６３】
図８は、印刷対象物上に形成された印影の例を示す図である。図８（ａ）に示すように、この印影の例２９は、日付入りの技術部○○課長の受領印の文字であり、この受領印の全パターンが印刷ヘッドの複数の液体吐出ノズル２７ａからのインクの吐出によって一度に形成される。
【００６４】
スタンプデータの印影は、スタンプデータのドットイメージに対応して形成される。よって、印影は、各液体吐出ノズル２７ａから吐出されたインクの印刷対象物上の着地点におけるドットの集まりで表現される。図８（ｂ）は、そのドットの集まりによって、図８（ａ）に示した印影の例２９の「日」の文字のみを、拡大して示す図である。
【００６５】
次に、発明の実施の形態に係るスタンプ装置で複数人が一つのスタンプ装置を共用する場合の印刷手順の一例を図９を参照して説明する。
先ず、入力キー２３を操作することにより、氏名コードやキーコードの数値等による入力がキーコード入力部３５からなされたか否かを調べる（ステップＳ２１）。キーコード入力があった場合に、このキーコード対応の氏名データがスタンプデータ登録部３１のデータテーブル中にあるか否かを検索するとともに、氏名印のスタンプデータを作成する（ステップＳ２２）。
【００６６】
このキーコードの検索に当たっては、ユーザ対応のパスワードが要求されるため、このパスワードを入力する（ステップＳ２３）。パスワードがスタンプデータ登録部の所定のメモリ領域に格納されたパスワードと合致するか否かを調べる（ステップＳ２４）。合致した場合には、作成したスタンプデータが印刷に適するスタンプデータか否かを調べる（ステップＳ２５）。
【００６７】
ステップＳ２５の処理で、スタンプデータが正常であった場合には、さらに印刷開始のための印刷スイッチ部２５が押下されるのを待つ（ステップＳ２６）。このとき、ユーザは書類の押印部分にスタンプ装置を置き、印刷スイッチ部２５を押下操作する。
押下操作の検出（ステップＳ２６：Ｙｅｓ）によって、氏名コードと氏名を合成して印刷を行わせる（ステップＳ２７）。
【００６８】
また、ステップＳ２４において、パスワードの一致がなければ、以降の処理を実行せずに終了となる。ステップＳ２５でスタンプデータが正常でないと判定された場合には、表示部２４にエラーを表示して（ステップＳ２８）、再びステップＳ２１以下の処理を繰り返し実行させる。
【００６９】
次に、本発明の実施の形態に係るスタンプ装置で日付入りのスタンプデータを印刷する場合の印刷処理手順を図１０を参照して説明する。
先ず、スタンプデータ登録部３１にスタンプデータがあるか否かを調べる（ステップＳ３１）。スタンプデータがあった場合には、スタンプデータに日付を入れる必要があるか否かを調べる（ステップＳ３２）。日付を入れる必要がある場合には、続いて新しい日付データをスタンプデータに併記された日付データに上書き可能かどうかを調べる（ステップＳ３３）。
【００７０】
この判定の結果、上書き可能と判定された場合には、上書きによって新しい日付データに変更して保存する（ステップＳ３５）。上書きが不可能な場合には、スタンプデータ登録部３１にある古い日付データつきのスタンプデータを削除した上で（ステップＳ３４）、新しい日付データ付のスタンプデータを作成し、これを保存する（ステップＳ３５）。これにより印刷（押印）した日時を記録、管理できる。
【００７１】
続いて、スタンプデータ登録部３１の不揮発性メモリに異常があるか否かを調べ（ステップＳ３６）、異常がなければ、スタンプデータが正しい日付のデータであるか否かを確認する（ステップＳ３７）。正しい日付のスタンプデータである場合には、処理を終了する。一方、ステップＳ３６でスタンプデータ登録部３１に異常があると判定された場合には、表示部２４にエラーを表示して（ステップＳ３８）、処理を終了する。
正しい日付のスタンプデータか否かの判定は表示部２４に保存されたスタンプデータを表示し、ユーザがこれを確認する。
【００７２】
このようにして、スタンプ装置による印刷の準備処理と印刷処理が実行される。また、この印刷処理によって印刷対象物としての書類上などに、図１１に示すような形態の印刷（スタンプ）がなされる。図１１（ａ）は日付入りの設計部○○課長の受領印、図１１（ｂ）は日付入りの技術部の職場名なしの受領印で、それぞれスタンプ押印面が長方形をなす。図１１（ｃ）は日付入りの受領印で、スタンプ押印面が円形を成している。図１１（ｄ）は設計部における部長、課長、担当のサイン記入枠の印、図１１（ｅ）は設計部における承認、確認、担当のサイン記入枠の印、図１１（ｆ）はキーコード対応の個人名印である。
【００７３】
なお、上述の実施形態において、データ入力部３７は、画像や文字データの入ったメモリカードを挿入部２６に挿入することにより、スタンプデータを入力するものとしたが、前記メモリカードによるデータ入力に替えて（あるいは加えて）、有線又は無線によってホストコンピュータやネットワークと接続する機構及びインタフェース等を設け、スタンプデータとなる画像や文字データを入力するようにしてもよい。
【００７４】
なお、上述の実施形態ではインクジェットタイプの印刷ヘッドを例に挙げて説明したが、インパクトプリント用の印刷ヘッドへの応用も可能である。また、印刷のインクをカラーとすることで、カラー画像等のスタンプとしての使用も可能になる。
【００７５】
以上、詳述したように、本実施の形態に係るスタンプ装置１によれば、ユーザは筐体２１を指で摘みまたは手で掴んだ状態で、印刷開始用の印刷スイッチ部２５や入力キー２３などの操作が可能であり、スタンプ押印面を下面に持つ通常の印鑑やスタンプと同等の使用感が得られる。また、スタンプ装置１を印刷対象物上に載せて印刷スイッチ部２５を操作することで、多数の液体吐出ノズル２７ａから吐出されるインクによって、印刷対象物に所望のスタンプデータの印影を印刷（押印）することができる。
しかも、印刷ヘッド２７が印刷対象物に対し、印刷に適する一定距離に保たれるため、液体吐出ノズル２７ａからのインクの吐出距離Ｇが最適に保たれて、印刷対象物上にクリアな印影を印刷（押印）できる。
【図面の簡単な説明】
【００７６】
【図１】本発明の実施の形態に係るスタンプ装置を概念的に示す斜視図である。
【図２】図１に示すスタンプ装置の要部を一部破断して示す説明図（ａ）、及び印刷ヘッド２７のスタンプ押印面を示す説明図（ｂ）である。
【図３】本発明の実施の形態に係るスタンプ装置の内部構成を示すブロック図である。
【図４】本発明の実施の形態に係るスタンプ装置の印刷スイッチ部の変形例を示す説明図である。
【図５】スタンプデータの入力手順の一例を示すフローチャートである。
【図６】本発明の実施の形態に係るスタンプ装置の登録処理手順を示すフローチャートである。
【図７】本発明の実施の形態に係るスタンプ装置の印刷手順の一例を示すフローチャートである。
【図８】本発明の実施の形態にスタンプ装置で印刷対象物上に形成された印影の例を示す図である。
【図９】本発明の実施の形態に係るスタンプ装置で複数人が一つのスタンプ装置を共用する場合の印刷手順を示すフローチャートである。
【図１０】発明の実施の形態に係るスタンプ装置で日付入りのスタンプデータを印刷する場合の印刷処理手順を示すフローチャートである。
【図１１】本発明の実施の形態に係るスタンプ装置によるスタンプ例を示す説明図である。
【符号の説明】
【００７７】
１：スタンプ装置、２１、２２：筐体、２３：キー入力部、２４：表示部、２５：印刷スイッチ部、２６：（メモリカードの）挿入孔、２７：印刷ヘッド、２７ａ：液体吐出ノズル２７ａ、２８：圧力センサスイッチ、３１：スタンプデータ登録部、３３：スタンプデータ選択部、３４：印刷部、３５：キーコード入力部、３６：バッテリ、３７：データ入力部、３８：制御部
【図１】
2009233971.tif 000003
【図２】
2009233971.tif 000004
【図３】
2009233971.tif 000005
【図４】
2009233971.tif 000006
【図５】
2009233971.tif 000007
【図６】
2009233971.tif 000008
【図７】
2009233971.tif 000009
【図８】
2009233971.tif 000010
【図９】
2009233971.tif 000011
【図１０】
2009233971.tif 000012
【図１１】
2009233971.tif 000013